(57)【特許請求の範囲】
【請求項１】
一方の伝送路と一方の通信装置との間に介在する第１の切替手段、他方の伝送路と他方の通信装置との間に介在する第２の切替手段、及び前記一方の伝送路と前記他方の伝送路との間に介在する第３の切替手段と、
前記第１及び第２の切替手段が共に導通状態となり前記第３の切替手段が高い遮断特性を有して遮断状態となる第１の切替動作と、前記第３の切替手段が導通状態となり前記第１及び第２の切替手段が共に高い遮断特性を有して遮断状態となる第２の切替動作とを切り替えて実行する制御手段と
を備え、
前記伝送路が２本の伝送路で構成される場合に、前記３つの切替手段は、それぞれ、
連動して同じ開閉状態になる２つの開閉スイッチと、前記２つの開閉スイッチ間を接続する２本の内部接続線と、前記２つの開閉スイッチが同時に開路状態になるとき当該２つの開閉スイッチの一方または双方において前記２本の内部接続線間をショート状態にする短絡線とを備えている信号遮断回路である
ことを特徴とする信号切替回路。
【請求項２】
一方の伝送路と一方の通信装置との間に介在する第１の切替手段、他方の伝送路と他方の通信装置との間に介在する第２の切替手段、及び前記一方の伝送路と前記他方の伝送路との間に介在する第３の切替手段と、
前記第１及び第２の切替手段が共に導通状態となり前記第３の切替手段が高い遮断特性を有して遮断状態となる第１の切替動作と、前記第３の切替手段が導通状態となり前記第１及び第２の切替手段が共に高い遮断特性を有して遮断状態となる第２の切替動作とを切り替えて実行する制御手段と
を備え、
前記伝送路が２本の伝送路で構成される場合に、前記３つの切替手段は、それぞれ、連動して同じ開閉状態になる２つの開閉スイッチと、前記２つの開閉スイッチ間を接続する２本の内部接続線で構成され前記２つの開閉スイッチが同時に開路状態になるとき開放端がショート状態または低インピーダンス状態となるように線路長を調整した伝送線路とを備えている信号遮断回路である
ことを特徴とする信号切替回路。
【請求項３】
一方の伝送路と一方の通信装置との間に介在する第１の切替手段、他方の伝送路と他方の通信装置との間に介在する第２の切替手段、及び前記一方の伝送路と前記他方の伝送路との間に介在する第３の切替手段と、
前記第１及び第２の切替手段が共に導通状態となり前記第３の切替手段が高い遮断特性を有して遮断状態となる第１の切替動作と、前記第３の切替手段が導通状態となり前記第１及び第２の切替手段が共に高い遮断特性を有して遮断状態となる第２の切替動作とを切り替えて実行する制御手段と
を備え、
前記伝送路が２本の伝送路で構成される場合に、前記３つの切替手段は、
少なくとも１つが、連動して同じ開閉状態になる２つの開閉スイッチと、前記２つの開閉スイッチ間を接続する２本の内部接続線と、前記２つの開閉スイッチが同時に開路状態になるとき当該２つの開閉スイッチの一方または双方において前記２本の内部接続線間をショート状態にする短絡線とを備えている信号遮断回路であり、
残りが、連動して同じ開閉状態になる２つの開閉スイッチと、前記２つの開閉スイッチ間を接続する２本の内部接続線で構成され前記２つの開閉スイッチが同時に開路状態になるとき開放端がショート状態または低インピーダンス状態となるように線路長を調整した伝送線路とを備えている信号遮断回路である
ことを特徴とする信号切替回路。
【請求項４】
一方の伝送路と一方の通信装置との間に介在する第１の切替手段、他方の伝送路と他方の通信装置との間に介在する第２の切替手段、及び前記一方の伝送路と前記他方の伝送路との間に介在する第３の切替手段と、
前記第１及び第２の切替手段が共に導通状態となり前記第３の切替手段が高い遮断特性を有して遮断状態となる第１の切替動作と、前記第３の切替手段が導通状態となり前記第１及び第２の切替手段が共に高い遮断特性を有して遮断状態となる第２の切替動作とを切り替えて実行する制御手段と
を備え、
前記伝送路が２本の伝送路で構成される場合に、
前記第１及び第２の切替手段は、それぞれ、連動して同じ開閉状態になる伝送路側開閉スイッチ及び通信装置側開閉スイッチと、前記２つの開閉スイッチ間を接続する２本の内部接続線と、前記伝送路側開閉スイッチが開路状態になるとき前記２本の内部接続線間をショート状態にする短絡線と、前記通信装置側開閉スイッチが開路状態になるとき対応する前記通信装置の２つの通信ポート間を終端する抵抗器とを備えている信号遮断回路であり、
前記第３の切替手段は、連動して同じ開閉状態になる２つの開閉スイッチと、前記２つの開閉スイッチ間を接続する２本の内部接続線と、前記２つの開閉スイッチが同時に開路状態になるとき当該２つの開閉スイッチの一方または双方において前記２本の内部接続線間をショート状態にする短絡線とを備えている信号遮断回路である
ことを特徴とする信号切替回路。
【請求項５】
一方の伝送路と一方の通信装置との間に介在する第１の切替手段、他方の伝送路と他方の通信装置との間に介在する第２の切替手段、及び前記一方の伝送路と前記他方の伝送路との間に介在する第３の切替手段と、
前記第１及び第２の切替手段が共に導通状態となり前記第３の切替手段が高い遮断特性を有して遮断状態となる第１の切替動作と、前記第３の切替手段が導通状態となり前記第１及び第２の切替手段が共に高い遮断特性を有して遮断状態となる第２の切替動作とを切り替えて実行する制御手段と
を備え、
前記伝送路が２本の伝送路で構成される場合に、
前記第１及び第２の切替手段は、それぞれ、連動して同じ開閉状態になる伝送路側開閉スイッチ及び通信装置側開閉スイッチと、前記２つの開閉スイッチ間を接続する２本の内部接続線と、前記伝送路側開閉スイッチが開路状態になるとき前記２本の内部接続線間をショート状態にする短絡線と、前記通信装置側開閉スイッチが開路状態になるとき対応する前記通信装置の２つの通信ポート間を終端する抵抗器とを備えている信号遮断回路であり、
前記第３の切替手段は、連動して同じ開閉状態になる２つの開閉スイッチと、前記２つの開閉スイッチ間を接続する２本の内部接続線で構成され前記２つの開閉スイッチが同時に開路状態になるとき開放端がショート状態または低インピーダンス状態となるように線路長を調整した伝送線路とを備えている信号遮断回路である
ことを特徴とする信号切替回路。
【請求項６】
前記第１及び第２の切替手段における前記信号遮断回路と対応する前記通信装置との間に、それぞれ、連動して同じ開閉状態になる開閉スイッチ及び当該開閉スイッチが開路状態になるとき対応する前記通信装置の２つの通信ポート間を終端する抵抗器が設けられていることを特徴とする請求項１〜３のいずれか一つに記載の信号切替回路。
【請求項７】
前記信号遮断回路における前記短絡線は、接地電位に接続されていることを特徴とする請求項１〜６のいずれか一つに記載の信号切替回路。
【請求項８】
一方の伝送路と一方の通信装置との間に介在する第１の切替手段、他方の伝送路と他方の通信装置との間に介在する第２の切替手段、及び前記一方の伝送路と前記他方の伝送路との間に介在する第３の切替手段と、
前記第１及び第２の切替手段が共に導通状態となり前記第３の切替手段が高い遮断特性を有して遮断状態となる第１の切替動作と、前記第３の切替手段が導通状態となり前記第１及び第２の切替手段が共に高い遮断特性を有して遮断状態となる第２の切替動作とを切り替えて実行する制御手段と
を備え、
前記伝送路が１本の伝送路と接地とで構成される場合に、前記３つの切替手段は、それぞれ、
連動して同じ開閉状態になる２つの開閉スイッチと、前記２つの開閉スイッチ間を接続する１本の内部接続線と、前記２つの開閉スイッチが同時に開路状態になるとき当該２つの開閉スイッチの一方または双方において前記１本の内部接続線を接地電位に接続する接地接続線とを備えている信号遮断回路である
ことを特徴とする信号切替回路。
【請求項９】
一方の伝送路と一方の通信装置との間に介在する第１の切替手段、他方の伝送路と他方の通信装置との間に介在する第２の切替手段、及び前記一方の伝送路と前記他方の伝送路との間に介在する第３の切替手段と、
前記第１及び第２の切替手段が共に導通状態となり前記第３の切替手段が高い遮断特性を有して遮断状態となる第１の切替動作と、前記第３の切替手段が導通状態となり前記第１及び第２の切替手段が共に高い遮断特性を有して遮断状態となる第２の切替動作とを切り替えて実行する制御手段と
を備え、
前記伝送路が１本の伝送路と接地とで構成される場合に、前記３つの切替手段は、それぞれ、連動して同じ開閉状態になる２つの開閉スイッチと、前記２つの開閉スイッチ間を接続する１本の内部接続線と対応する接地線とで構成され前記２つの開閉スイッチが同時に開路状態になるとき開放端がショート状態または低インピーダンス状態となるように線路長を調整した伝送線路とを備えている信号遮断回路である
ことを特徴とする信号切替回路。
【請求項１０】
一方の伝送路と一方の通信装置との間に介在する第１の切替手段、他方の伝送路と他方の通信装置との間に介在する第２の切替手段、及び前記一方の伝送路と前記他方の伝送路との間に介在する第３の切替手段と、
前記第１及び第２の切替手段が共に導通状態となり前記第３の切替手段が高い遮断特性を有して遮断状態となる第１の切替動作と、前記第３の切替手段が導通状態となり前記第１及び第２の切替手段が共に高い遮断特性を有して遮断状態となる第２の切替動作とを切り替えて実行する制御手段と
を備え、
前記伝送路が１本の伝送路と接地とで構成される場合に、前記３つの切替手段は、
少なくとも１つが、連動して同じ開閉状態になる２つの開閉スイッチと、前記２つの開閉スイッチ間を接続する１本の内部接続線と、前記２つの開閉スイッチが同時に開路状態になるとき当該２つの開閉スイッチの一方または双方において前記１本の内部接続線を接地電位に接続する接地接続線とを備えている信号遮断回路であり、
残りが、連動して同じ開閉状態になる２つの開閉スイッチと、前記２つの開閉スイッチ間を接続する１本の内部接続線と対応する接地線とで構成され前記２つの開閉スイッチが同時に開路状態になるとき開放端がショート状態または低インピーダンス状態となるように線路長を調整した伝送線路とを備えている信号遮断回路である
ことを特徴とする信号切替回路。
【請求項１１】
一方の伝送路と一方の通信装置との間に介在する第１の切替手段、他方の伝送路と他方の通信装置との間に介在する第２の切替手段、及び前記一方の伝送路と前記他方の伝送路との間に介在する第３の切替手段と、
前記第１及び第２の切替手段が共に導通状態となり前記第３の切替手段が高い遮断特性を有して遮断状態となる第１の切替動作と、前記第３の切替手段が導通状態となり前記第１及び第２の切替手段が共に高い遮断特性を有して遮断状態となる第２の切替動作とを切り替えて実行する制御手段と
を備え、
前記伝送路が１本の伝送路と接地とで構成される場合に、
前記第１及び第２の切替手段は、それぞれ、連動して同じ開閉状態になる伝送路側開閉スイッチ及び通信装置側開閉スイッチと、前記２つの開閉スイッチ間を接続する１本の内部接続線と、前記伝送路側開閉スイッチが開路状態になるとき前記１本の内部接続線を接地電位に接続する接地接続線と、前記通信装置側開閉スイッチが開路状態になるとき対応する前記通信装置の１つの通信ポートと接地間を終端する抵抗器とを備えている信号遮断回路であり、
前記第３の切替手段は、連動して同じ開閉状態になる２つの開閉スイッチと、前記２つの開閉スイッチ間を接続する１本の内部接続線と、前記２つの開閉スイッチが同時に開路状態になるとき当該２つの開閉スイッチの一方または双方において前記１本の内部接続線を接地電位に接続する接地接続線とを備えている信号遮断回路である
ことを特徴とする信号切替回路。
【請求項１２】
一方の伝送路と一方の通信装置との間に介在する第１の切替手段、他方の伝送路と他方の通信装置との間に介在する第２の切替手段、及び前記一方の伝送路と前記他方の伝送路との間に介在する第３の切替手段と、
前記第１及び第２の切替手段が共に導通状態となり前記第３の切替手段が高い遮断特性を有して遮断状態となる第１の切替動作と、前記第３の切替手段が導通状態となり前記第１及び第２の切替手段が共に高い遮断特性を有して遮断状態となる第２の切替動作とを切り替えて実行する制御手段と
を備え、
前記伝送路が１本の伝送路と接地とで構成される場合に、
前記第１及び第２の切替手段は、それぞれ、連動して同じ開閉状態になる伝送路側開閉スイッチ及び通信装置側開閉スイッチと、前記２つの開閉スイッチ間を接続する１本の内部接続線と、前記伝送路側開閉スイッチが開路状態になるとき前記１本の内部接続線を接地電位に接続する接地接続線と、前記通信装置側開閉スイッチが開路状態になるとき対応する前記通信装置の１つの通信ポートと接地間を終端する抵抗器とを備えている信号遮断回路であり、
前記第３の切替手段は、連動して同じ開閉状態になる２つの開閉スイッチと、前記２つの開閉スイッチ間を接続する１本の内部接続線と対応する接地線とで構成され前記２つの開閉スイッチが同時に開路状態になるとき開放端がショート状態または低インピーダンス状態となるように線路長を調整した伝送線路とを備えている信号遮断回路である
ことを特徴とする信号切替回路。
【請求項１３】
前記第１及び第２の切替手段における前記信号遮断回路と対応する前記通信装置との間に、それぞれ、連動して同じ開閉状態になる開閉スイッチ及び当該開閉スイッチが開路状態になるとき対応する前記通信装置の１つの通信ポートと接地間を終端する抵抗器が設けられていることを特徴とする請求項８〜１０のいずれか一つに記載の信号切替回路。
【請求項１４】
リピータが介在する通信システムにおいて、
請求項１〜１３のいずれか一つに記載の信号切替回路における、
前記第１の切替手段が、一方の伝送路と前記リピータの一方の通信ポートとの間に設けられ、
前記第２の切替手段が、他方の伝送路と前記リピータの他方の通信ポートとの間に設けられ、
前記第３の切替手段が、前記一方の伝送路と前記他方の伝送路との間に設けられ、
前記制御手段が、前記リピータをバイパスしない場合は前記第１の切替動作を実行し、前記リピータをバイパスしてデータ伝送を行う場合は前記第２の切替動作を実行する
ことを特徴とするリピータが介在する通信システムにおける信号切替方式。
【発明の詳細な説明】
【技術分野】
【０００１】
この発明は、リピータが介在する通信システムにおける信号切替方式及び前記信号切替方式で用いる信号切替回路に関するものである。
【背景技術】
【０００２】
リピータが介在する通信システムとしては、端的には、バケツリレー方式で伝送データを中継転送するいわゆるバケツリレー通信システムを挙げることができる。この種の通信システムでは、故障したリピータは、バイパスするとともに、伝送信号がその故障したリピータには取り込まれないようにする措置が必要となる。
【０００３】
この場合、例えば特許文献１に開示されている伝送路機器を用いることが考えられる。この伝送路機器は、２つの内部接点の接続状態を接触状態あるいは開放状態に設定することで機械式の開閉スイッチとして動作するリレーを備え、信号送信装置から信号受信装置に高周波信号を送信するための信号伝送路において、前記リレーによって接続状態を開放状態にして信号伝送路を遮断状態とすることで、信号伝送路を通じて信号送信装置から信号受信装置に向けて送信される高周波信号の送信状態を送信停止状態に設定することができる。
【０００４】
【特許文献１】特開２００３−２０９８１８号公報（伝送路機器およびＣＡＴＶ伝送路機器：第２頁〜第３頁）
【発明の開示】
【発明が解決しようとする課題】
【０００５】
しかしながら、上記したリレーを用いた信号切替方法では、リレーが開放状態である場合において、リレーの内部接点の間隔が狭いために、信号の周波数が高くなるに従い静電容量結合の影響が無視できなくなる。したがって、高周波信号が漏れてしまい、遮断性能が十分でないという問題がある。
【０００６】
この発明は、上記に鑑みてなされたものであり、リピータが介在する通信システムにおいて、リピータと両方の伝送路との間での各データ伝送と、バイパスする必要のあるリピータを伝送路から切り離してのデータ伝送とを行う場合に、通信しない伝送路において高周波信号の高い遮断特性が実現できる信号切替方式を得ることを目的とする。
【０００７】
また、この発明は、簡単な回路構成によって高周波信号の遮断性能を向上させる信号遮断回路を用いて複数の通信装置の双方向通信の相手を切り替えることができ、上記の発明で用いることができる信号切替回路を得ることを目的とする。
【課題を解決するための手段】
【０００８】
上述した目的を達成するために、この発明にかかる信号切替回路は、一方の伝送路と一方の通信装置との間に介在する第１の切替手段、他方の伝送路と他方の通信装置との間に介在する第２の切替手段、及び前記一方の伝送路と前記他方の伝送路との間に介在する第３の切替手段と、前記第１及び第２の切替手段が共に導通状態となり前記第３の切替手段が高い遮断特性を有して遮断状態となる第１の切替動作と、前記第３の切替手段が導通状態となり前記第１及び第２の切替手段が共に高い遮断特性を有して遮断状態となる第２の切替動作とを切り替えて実行する制御手段とを備え、前記伝送路が２本の伝送路で構成される場合に、前記３つの切替手段は、それぞれ、連動して同じ開閉状態になる２つの開閉スイッチと、前記２つの開閉スイッチ間を接続する２本の内部接続線と、前記２つの開閉スイッチが同時に開路状態になるとき当該２つの開閉スイッチの一方または双方において前記２本の内部接続線間をショート状態にする短絡線とを備えている信号遮断回路であることを特徴とする。
【０００９】
この発明にかかる信号切替回路を構成する３つの切替手段は、それぞれ同じ構成の信号遮断回路で構成される。信号遮断回路では、連動して同じ開閉状態になる２つの開閉スイッチが遮断指示を受けて同時に開路状態になると、２本の内部接続線間が短絡線によりショート状態になるので、高い遮断特性を有して遮断状態にすることができる。したがってこの発明にかかる信号切替回路は、簡単な回路構成によって高周波信号の遮断性能を向上させる信号遮断回路を用いて複数の通信装置の双方向通信の相手を切り替えることができる。
【発明の効果】
【００１０】
この発明にかかるリピータが介在する通信システムにおける信号切替方式は、リピータと伝送路との間にこの発明にかかる信号切替回路を設ける。信号切替回路は、一方の伝送路とリピータの一方の通信ポートとの間に介在する第１の切替手段と、他方の伝送路とリピータの他方の通信ポートとの間に介在する第２の切替手段と、一方の伝送路と他方の伝送路との間に介在する第３の切替手段とを備え、当該リピータをバイパスしない場合は、第１及び第２の切替手段が共に導通状態となり第３の切替手段が高い遮断特性を有して遮断状態となり、当該リピータをバイパスしてデータ伝送を行う場合は、第３の切替手段が導通状態となり第１及び第２の切替手段が共に高い遮断特性を有して遮断状態となる。すなわち、リピータと両方の伝送路との間での各データ伝送と、バイパスする必要のあるリピータを伝送路から切り離してのデータ伝送とを行う場合に、リピータと伝送路との間に設ける信号切替回路によって通信しない伝送路において高周波信号の高い遮断特性を実現できる。したがって、この発明にかかるリピータが介在する通信システムにおける信号切替方式によれば、リピータが介在する通信システムにおいて、通信しない伝送路では高周波信号の高い遮断特性が実現できるので、リピータと両方の伝送路との間での各データ伝送と、バイパスする必要のあるリピータを伝送路から切り離してのデータ伝送とを漏洩の影響を少なくして安定的に行うことが可能になるという効果を奏する。
【発明を実施するための最良の形態】
【００１１】
以下に図面を参照して、この発明にかかるリピータが介在する通信システムにおける信号切替方式及び信号切替回路の好適な実施の形態を詳細に説明する。
【００１２】
実施の形態１．
図１は、この発明の実施の形態１による信号切替回路を備えたバケツリレーシステムの構成を示すブロック図である。リピータが介在する通信システムの一例であるバケツリレーシステムでは、例えば図１に示すように、送信元または送信先の通信装置１と、図示しない送信先または送信元の通信装置との間に、リピータ２、リピータ３、リピータ４、・・・が、それぞれ、伝送路５、伝送路６、伝送路７、・・・を介して接続されている。そして、リピータ２，３，４，・・・は、それぞれ同様の構成であって、図示例で言えば、一方の通信ポートが一方の伝送路に接続される通信装置２ａ，３ａ，４ａと、一方の通信ポートが他方の伝送路に接続される通信装置２ｂ，３ｂ，４ｂとを備え、この２つの通信装置（２ａ，２ｂ）（３ａ，３ｂ）（４ａ，４ｂ）の各他方の通信ポートは内部リンク２ｃ，３ｃ，４ｃを介して接続されている。
【００１３】
このバケツリレーシステムでは、通信装置１が伝送路５を用いてリピータ２に対してデータを送信すると、リピータ２では、そのデータを通信装置２ａが受け取り、内部リンク２ｃを用いて通信装置２ｂに渡し、通信装置２ｂが伝送路６を用いてリピータ３に対してデータを送信する。リピータ３，４，・・においても、同様の手順で、一方の伝送路から取り込んだデータを他方の伝送路に送出するデータの中継転送が順々に行われるといったデータ伝送方法が採られる。
【００１４】
このようなバケツリレーシステムにおいて、この実施の形態では、図１に示すように、それぞれのリピータと伝送路との間に、信号切替回路８、信号切替回路９、信号切替回路１０、・・・が設置されている。
【００１５】
信号切替回路８，９，１０，・・は、それぞれ同様の構成であって図示例で言えば、一方の伝送路と他方の伝送路との間に設けられる切替手段ＳＷ８ａ，ＳＷ９ａ，ＳＷ１０ａと、一方の伝送路と自リピータの対応する通信ポートとの間に設けられる切替手段ＳＷ８ｂ，ＳＷ９ｂ，ＳＷ１０ｂと、他方の伝送路と自リピータの対応する通信ポートとの間に設けられる切替手段ＳＷ８ｃ，ＳＷ９ｃ，ＳＷ１０ｃと、各信号切替回路におけるこれらの３つの切替手段を信号切替回路毎に制御して、（１）リピータを伝送路に接続する場合と、（２）或るリピータを伝送路から切り離してバイパスさせる場合とを切り替える図示しない制御手段とを基本的に備えている。
【００１６】
次に、図示しない制御手段が行う切り替え動作について説明する。信号切替回路８が備える３つの切替手段ＳＷ８ａ，ＳＷ８ｂ，ＳＷ８ｃを用いて示すと、（１）リピータを伝送路に接続する場合には、切替手段ＳＷ８ａを遮断状態にし、切替手段ＳＷ８ｂ，ＳＷ８ｃを導通状態にする。また（２）或るリピータを伝送路から切り離してバイパスさせる場合は、ＳＷ８ａを導通状態にし、ＳＷ８ｂとＳＷ８ｃとを遮断状態にする。
【００１７】
今の例で言えば、切替状態（１）の場合は、リピータ２では、伝送路５を用いた通信装置１と通信装置２ａとの間での通信と、伝送路６を用いた通信装置２ｂと通信装置３ａとの間での通信とが可能になる。また、切替状態（２）の場合は、伝送路５と伝送路６とを接続し、つまり、リピータ２を伝送路から切り離してバイパスし、通信装置１と通信装置３ａとの間での通信が可能になる。
【００１８】
このように、切替状態（１）の場合は、各リピータでは、一方の伝送路側に隣接する通信装置（他リピータ内の通信装置を含む）と自リピータ内の対応する通信装置とが当該一方の伝送路を介して通信可能に接続され、他方の伝送路側に隣接する通信装置（他リピータ内の通信装置を含む）と自リピータ内の対応する通信装置とが当該他方の伝送路を介して通信可能に接続される。また、切替状態（２）に制御されるリピータでは、自リピータが伝送路から切り離され一方の伝送路と他方の伝送路とが接続されるので、一方の伝送路側に隣接する通信装置（他リピータ内の通信装置を含む）と他方の伝送路側に隣接する通信装置（他リピータ内の通信装置を含む）とが直接通信可能に接続される。
【００１９】
制御手段は、通常、各信号切替回路を切替状態（１）に制御し、バケツリレー方式のデータ伝送を可能にしている。その状態において、例えば通信装置２ａが故障した場合、制御手段は、故障した通信装置２ａと伝送路５との間にある信号切替回路８を切替状態（２）に切り替える。すると、故障した通信装置２ａを有するリピータ２は、通信ネットワークから切り離されて、このリピータ２を使うことはできなくなるが、リピータ２以外の通信装置およびリピータ同士はデータ伝送を継続することができる。
【００２０】
したがって、通信装置１から送信されてきたデータが、故障した通信装置２ａを有するリピータ２のところで止まってリピータ３以降にデータ伝送することができなくなるという事態を避けることが可能となる。以上は、通信装置２ａが故障した場合であるが、その他のリピータが有する通信装置が故障した場合も、同様の動作が行われる。また、故障に限らず、データ伝送をしたくない通信装置が発生した場合なども、同様の動作でネットワークからその通信装置を有するリピータを切り離すことができる。
【００２１】
このように、この実施の形態１によれば、伝送路とリピータとの間に、自リピータを伝送路に接続する場合と、自リピータを伝送路から切り離してバイパスさせる場合とを切り替えることができる信号切替回路を設けるので、故障した通信装置やデータ伝送をしたくない通信装置を有するリピータをバイパスしてデータ伝送を行うことができる。したがって、故障時の被害を抑えることができる。また、データ伝送をしたくない通信装置が発生した場合は、その通信装置がデータ受信を行うのを回避してデータ伝送を行うことができる。
【００２２】
ここで、伝送路とリピータとの間に配置する信号切替回路での上記した切替状態（１）（２）では、遮断状態にする切替手段の信号遮断性能が重要である。以下、優れた信号遮断特性を有する切替手段を備えた信号切替回路の具体的な構成例を実施の形態２〜７として説明する。なお、全ての信号切替回路は、同様の構成であるので、以下の実施の形態２〜７では、説明の便宜から図１における信号切替回路９を取り上げて説明する。
【００２３】
実施の形態２．
図２は、この発明の実施の形態２として、図１に示す信号切替回路の構成例（その１）を示す回路図である。なお、この実施の形態２では、図１に示すバケツリレー方式の通信システムは、２つの伝送路を用いてディファレンシャル伝送を行うシステムを想定している。
【００２４】
図２において、図１に示す信号切替回路の第１の構成例として、信号切替回路９は、切替手段ＳＷ９ａに対応する信号遮断回路１１と、切替手段ＳＷ９ｂに対応する信号遮断回路１２と、切替手段ＳＷ９ｃに対応する信号遮断回路１３と、それらを接続する接続線１４ａ，１４ｂ，１５ａ，１５ｂ，１６ａ，１６ｂ，１７ａ，１７ｂとを備えている。
【００２５】
接続線１４ａ，１４ｂは、一端が伝送路６、ＳＷ８ｃを経由してリピータ２の通信装置２ｂに接続される。この接続線１４ａ，１４ｂの図示例では途中に信号遮断回路１１の一端が接続され、他端に信号遮断回路１２の一端が接続されている。接続線１５ａ，１５ｂは、一端が伝送路７、ＳＷ１０ｃを経由してリピータ４の通信装置４ａに接続される。この接続線１５ａ，１５ｂの図示例では途中に信号遮断回路１１の他端が接続され、他端に信号遮断回路１３の一端が接続されている。
【００２６】
接続線１６ａ，１６ｂは、一端がリピータ３の通信装置３ａの２つの通信ポートに接続される。この接続線１６ａ，１６ｂの他端に信号遮断回路１２の他端が接続されている。接続線１７ａ，１７ｂは、一端がリピータ３の通信装置３ｂの２つの通信ポートに接続される。この接続線１７ａ，１７ｂの他端に信号遮断回路１３の他端が接続されている。
【００２７】
３つの信号遮断回路は、それぞれ同様の構成である。すなわち、信号遮断回路１１は、２つの開閉スイッチ２０，２１と、それらを接続する内部接続線２２ａ，２２ｂと、開閉スイッチ２０に接続した短絡線２３とを備えている。信号遮断回路１２は、２つの開閉スイッチ２５，２６と、それらを接続する内部接続線２７ａ，２７ｂと、開閉スイッチ２５に接続した短絡線２８とを備えている。信号遮断回路１３は、２つの開閉スイッチ３０，３１と、それらを接続する内部接続線３２ａ，３２ｂと、開閉スイッチ３０に接続した短絡線３３とを備えている。
【００２８】
信号遮断回路１１では、開閉スイッチ２０の外部入出力端子ａ，ｂは一端として接続線１４ａ，１４ｂの途中に接続され、内部入出力端子ｃ，ｄは内部接続線２２ａ，２２ｂの一端に接続され、短絡用端子ｅ，ｆは短絡線２３を介して接続されている。開閉スイッチ２１の外部入出力端子ａ，ｂは他端として接続線１５ａ，１５ｂの途中に接続され、内部入出力端子ｃ，ｄは内部接続線２２ａ，２２ｂの他端に接続されている。
【００２９】
信号遮断回路１２では、開閉スイッチ２５の外部入出力端子ａ，ｂは一端として接続線１４ａ，１４ｂの他端に接続され、内部入出力端子ｃ，ｄは内部接続線２７ａ，２７ｂの一端に接続され、短絡用端子ｅ，ｆは短絡線２８を介して接続されている。開閉スイッチ２６の外部入出力端子ａ，ｂは他端として接続線１６ａ，１６ｂの他端に接続され、内部入出力端子ｃ，ｄは内部接続線２７ａ，２７ｂの他端に接続されている。
【００３０】
信号遮断回路１３では、開閉スイッチ３０の外部入出力端子ａ，ｂは一端として接続線１５ａ，１５ｂの他端に接続され、内部入出力端子ｃ，ｄは内部接続線３２ａ，３２ｂの一端に接続され、短絡用端子ｅ，ｆは短絡線３３を介して接続されている。開閉スイッチ３１の外部入出力端子ａ，ｂは他端として接続線１７ａ，１７ｂの他端に接続され、内部入出力端子ｃ，ｄは内部接続線３２ａ，３２ｂの他端に接続されている。
【００３１】
信号遮断回路１１，１２，１３では、導通指示を受けて、開閉スイッチ２０，２５，３０が外部入出力端子ａと内部入出力端子ｃとの間、及び、外部入出力端子ｂと内部入出力端子ｄとの間をそれぞれ接続して閉路状態となり、開閉スイッチ２１，２６，３１が外部入出力端子ａと内部入出力端子ｃとの間、及び、外部入出力端子ｂと内部入出力端子ｄとの間をそれぞれ接続して閉路状態となる。これによって、信号遮断回路１１，１２，１３では、開閉スイッチ２０，２５，３０の外部入出力端子ａ，ｂと開閉スイッチ２１，２６，３１の外部入出力端子ａ，ｂとの間が、内部接続線（２２ａ，２２ｂ）（２７ａ，２７ｂ）（３２ａ，３２ｂ）によって接続されるので、導通状態になる。
【００３２】
また、信号遮断回路１１，１２，１３では、遮断指示を受けて、開閉スイッチ２０，２５，３０と、開閉スイッチ２１，２６，３１とが、前記した接続を解除して開路状態となる。これによって、開閉スイッチ２０，２５，３０の外部入出力端子ａ，ｂと開閉スイッチ２１，２６，３１の外部入出力端子ａ，ｂとの間の接続が絶たれて、遮断状態になる。
【００３３】
このとき、開閉スイッチ２１，２６，３１では、内部入出力端子ｃ，ｄが開放状態になるが、開閉スイッチ２０，２５，３０では、内部入出力端子ｃと短絡用端子ｅとの間、及び内部入出力端子ｄと短絡用端子ｆとの間をそれぞれ接続する動作が行われる。つまり、内部接続線（２２ａ，２２ｂ）（２７ａ，２７ｂ）（３２ａ，３２ｂ）の他端は、開放状態になるが、内部接続線（２２ａ，２２ｂ）（２７ａ，２７ｂ）（３２ａ，３２ｂ）の一端は、開放状態にならず、短絡線２３，２８，３３でショートされた状態になる。これによって、内部接続線（２２ａ，２２ｂ）（２７ａ，２７ｂ）（３２ａ，３２ｂ）の各２線間に電位差が発生するのが抑制されるので、高い遮断特性を有した遮断状態にすることができる。
【００３４】
次に、図示しない制御手段が行う切り替え動作について説明する。まず、（１）リピータ３を伝送路に接続する場合には、信号遮断回路１１には上記の遮断指示を発行して遮断状態になる動作を行わせ、信号遮断回路１２，１３には上記の導通指示を発行して導通状態になる動作を行わせる。これによって、リピータ３では、伝送路６側に隣接するリピータ２内の通信装置２ｂと自リピータ３内の通信装置３ａとの間での通信と、伝送路７側に隣接するリピータ４内の通信装置４ａと自リピータ３内の通信装置３ｂとの間での通信とが可能になる。
【００３５】
この場合、遮断状態になる信号遮断回路１１では、遮断状態になると同時に、内部接続線２２ａ，２２ｂの一端が短絡線２３によってショートされるので、２線間に電位差が発生するのが抑制される。つまり、ディファレンシャルな遮断特性が確保できるので、遮断状態になる信号遮断回路１１では、ディファレンシャルモード信号の通過を抑制することができる。
【００３６】
これによって、信号遮断回路１１を経由した通信装置２ｂと通信装置４ａとの間、通信装置２ｂと通信装置３ｂとの間、通信装置４ａと通信装置３ａとの間での遮断特性がそれぞれ確保され、信号漏れが少なくなる。したがって、通信装置２ｂと通信装置３ａとの間では、通信装置４ａまたは通信装置３ｂからの信号漏れが少ないので、安定した通信が可能となる。同様に、通信装置４ａと通信装置３ｂとの間では、通信装置２ｂまたは通信装置３ａからの信号漏れが少ないので、安定した通信が可能となる。
【００３７】
また、（２）リピータ３を伝送路から切り離してバイパスさせる場合は、信号遮断回路１１には上記の導通指示を発行して導通状態になる動作を行わせ、信号遮断回路１２，１３には上記の遮断指示を発行して遮断状態になる動作を行わせる。これによって、通信装置２ｂと通信装置４ａとの間でのリピータ３を経由しない直接通信が可能になる。
【００３８】
この場合、遮断状態になる信号遮断回路１２，１３では、遮断状態になると同時に、内部接続線（２７ａ，２７ｂ）（３２ａ，３２ｂ）の各一端が短絡線２８，３３によってそれぞれショートされるので、各２線間に電位差が発生するのが抑制される。つまり、ディファレンシャルな遮断特性が確保できるので、遮断状態になる信号遮断回路１１では、ディファレンシャルモード信号の通過を抑制することができる。
【００３９】
これによって、信号遮断回路１２を経由した通信装置３ａと通信装置２ｂ，４ａとの間での遮断特性がそれぞれ確保され、信号漏れが少なくなる。また、信号遮断回路１３を経由した通信装置３ｂと通信装置２ｂ，４ａとの間での遮断特性がそれぞれ確保され、信号漏れが少なくなる。したがって、通信装置２ｂと通信装置４ａとの間では、通信装置３ａまたは通信装置３ｂからの信号漏れが少ないので、安定した通信が可能となる。
【００４０】
実施の形態３．
図３は、この発明の実施の形態３として、図１に示す信号切替回路の構成例（その２）を示す回路図である。なお、図３では、図２（実施の形態２）に示した構成要素と同一ないしは同等である構成要素には同一の符号が付されている。ここでは、この実施の形態３に関わる部分を中心に説明する。
【００４１】
図３に示すように、図１に示す信号切替回路の第２の構成例では、信号切替回路９は、図２（実施の形態２）に示した構成において、開閉スイッチ３５，３８と、抵抗器３６，３９と、接続線（３７ａ，３７ｂ）（４０ａ，４０ｂ）とが追加されている。
【００４２】
開閉スイッチ３５の外部入出力端子ａ，ｂは接続線１６ａ，１６ｂの一端に接続され、内部入出力端子ｃ，ｄは接続線３７ａ，３７ｂの対応するものを介して通信装置３ａの２つの通信ポートの対応するものに接続され、短絡端子ｅ，ｆ間は抵抗器３７を介して接続されている。
【００４３】
開閉スイッチ３８の外部入出力端子ａ，ｂは接続線１７ａ，１７ｂの一端に接続され、内部入出力端子ｃ，ｄは接続線３９ａ，３９ｂの対応するものを介して通信装置３ｂの２つの通信ポートの対応するものに接続され、短絡端子ｅ，ｆ間は抵抗器３９を介して接続されている。
【００４４】
開閉スイッチ３５，３８では、導通指示を受けて、外部入出力端子ａと内部入出力端子ｃとの間、及び、外部入出力端子ｂと内部入出力端子ｄとの間をそれぞれ接続して閉路状態となり、接続線１６ａ，１６ｂと接続線３７ａ，３７ｂとの間を接続して導通状態にする。
【００４５】
また、開閉スイッチ３５，３８では、遮断指示を受けて、前記した接続を解除して開路状態となる。これによって、接続線１６ａ，１６ｂと接続線３７ａ，３７ｂとの間は接続が絶たれて、遮断状態になる。このとき、開閉スイッチ３５，３８では、内部入出力端子ｃと短絡用端子ｅとの間、及び、内部入出力端子ｄと短絡用端子ｆとの間をそれぞれ接続する動作が行われる。つまり、接続線（３７ａ，３７ｂ）（４０ａ，４０ｂ）の内部入出力端子ｃ，ｄとの接続端は、開放状態にならず、抵抗器３６，３９を介して接続された状態になる。
【００４６】
追加した２つの開閉スイッチ３５，３８では、信号遮断回路１２，１３での開閉スイッチ（２５，２６）（３０，３１）と同じ内容の指令を受けて、同じように開路動作と閉路動作とが行われる。したがって、信号遮断回路１１が導通状態になり、信号遮断回路１２，１３が遮断状態となるバイパス時では、開閉スイッチ３５，３８も開路状態になり、接続線１６ａ，１６ｂと接続線３７ａ，３７ｂとの間が遮断されるが、接続線３７ａ，３７ｂの遮断端は抵抗器３６，３９を介して接続された状態になるので、通信装置３ａ，３ｂの出力信号は、抵抗器３６，３９によって終端され、抵抗器３６，３９にて消費されることになる。
【００４７】
つまり、上記の実施の形態２では、遮断状態となるバイパス時では、当該リピータ内の通信装置の通信ポートは開放状態になるので、不要な信号放出が起こるが、この実施の形態３によれば、その不要な信号放出を少なくすることができる。
【００４８】
実施の形態４．
図４は、この発明の実施の形態４として、図１に示す信号切替回路の構成例（その３）を示す回路図である。なお、図４では、図３（実施の形態３）に示した構成要素と同一ないしは同等である構成要素には同一の符号が付されている。ここでは、この実施の形態４に関わる部分を中心に説明する。
【００４９】
図４に示すように、図１に示す信号切替回路の第３の構成例では、信号切替回路９は、図３（実施の形態３）に示した構成において、開閉スイッチ２６と接続線１６ａ，１６ｂの組を省いて、開閉スイッチ３５と接続線３７ａ，３７ｂの組を取り込んで信号遮断回路４２とし、開閉スイッチ３１と接続線１７ａ，１７ｂの組を省いて、開閉スイッチ３８と接続線３９ａ，３９ｂの組を取り込んで信号遮断回路４３とした場合が示されている。
【００５０】
この構成によれば、信号遮断回路１１が導通状態になり、信号遮断回路４２，４３が遮断状態となるバイパス時では、開閉スイッチ２５，３０が開路状態となることによって内部接続線（２７ａ，２７ｂ）（３２ａ，３２ｂ）の２線間での電位差の発生が抑制されて遮断性能が確保でき、また、開閉スイッチ３５，３８が開路状態となることによって不要な信号放出を少なくすることができる。加えて、実施の形態３よりも開閉スイッチの個数を２つ少なくすることができる。
【００５１】
実施の形態５．
図５は、この発明の実施の形態５として、図１に示す信号切替回路の構成例（その４）を示す回路図である。なお、この実施の形態５では、図１に示すバケツリレー方式の通信システムは、２本の伝送路のうち一方を接地し、他方を用いてシングル伝送を行うシステムを想定している。つまり、各通信装置が有する２つの通信ポートの一方は、接地されている。
【００５２】
したがって、図５に示すように、図１に示す信号切替回路の第４の構成例として、信号切替回路９は、切替手段ＳＷ９ａに対応する信号遮断回路４５と、切替手段ＳＷ９ｂに対応する信号遮断回路４６と、切替手段ＳＷ９ｃに対応する信号遮断回路４７と、それらを接続する接続線１４ａ，１５ａ，１６ａ，１７ａとを備えている。対をなす他方の接続線１４ｂ，１５ｂ，１６ｂ，１７ｂは、それぞれ接地電位に接続されている。
【００５３】
接続線１４ａは、一端が伝送路６、ＳＷ８ｃを経由してリピータ２の通信装置２ｂに接続される。この接続線１４ａの図示例では途中に信号遮断回路４５の一端が接続され、他端に信号遮断回路４６の一端が接続されている。接続線１５ａは、一端が伝送路７、ＳＷ１０ｃを経由してリピータ４の通信装置４ａに接続される。この接続線１５ａの図示例では途中に信号遮断回路４５の他端が接続され、他端に信号遮断回路４７の一端が接続されている。
【００５４】
接続線１６ａは、一端がリピータ３の通信装置３ａの１つの通信ポートに接続される。この接続線１６ａの他端に信号遮断回路４６の他端が接続されている。接続線１７ａは、一端がリピータ３の通信装置３ｂの１つの通信ポートに接続される。この接続線１７ａの他端に信号遮断回路４７の他端が接続されている。
【００５５】
３つの信号遮断回路は、それぞれ同様の構成である。すなわち、信号遮断回路４５は、２つの開閉スイッチ５０，５１と、それらを接続する１本の内部接続線２２ａと、開閉スイッチ５０に接続した接地接続線５２とを備えている。信号遮断回路４６は、２つの開閉スイッチ５５，５６と、それらを接続する１本の内部接続線２７ａと、開閉スイッチ５５に接続した接地接続線５７とを備えている。信号遮断回路４７は、２つの開閉スイッチ６０，６１と、それらを接続する１本の内部接続線３２ａと、開閉スイッチ６０に接続した接地線６２とを備えている。
【００５６】
信号遮断回路４５では、開閉スイッチ５０の外部入出力端子ａは一端として接続線１４ａの途中に接続され、内部入出力端子ｂは内部接続線２２ａの一端に接続され、接地用端子ｃは接地接続線５２を介して接地電位に接続されている。開閉スイッチ５１の外部入出力端子ａは他端として接続線１５ａの途中に接続され、内部入出力端子ｂは内部接続線２２ａの他端に接続されている。
【００５７】
信号遮断回路４６では、開閉スイッチ５５の外部入出力端子ａは一端として接続線１４ａの他端に接続され、内部入出力端子ｂは内部接続線２７ａの一端に接続され、接地用端子ｃは接地線２８を介して接地電位に接続されている。開閉スイッチ５６の外部入出力端子ａは他端として接続線１６ａの他端に接続され、内部入出力端子ｂは内部接続線２７ａの他端に接続されている。
【００５８】
信号遮断回路４７では、開閉スイッチ６０の外部入出力端子ａは一端として接続線１５ａの他端に接続され、内部入出力端子ｂは内部接続線３２ａの一端に接続され、接地用端子ｃは接地線６２を介して接地電位に接続されている。開閉スイッチ６１の外部入出力端子ａは他端として接続線１７ａの他端に接続され、内部入出力端子ｂは内部接続線３２ａの他端に接続されている。
【００５９】
信号遮断回路４５，４６，４７では、導通指示を受けて、開閉スイッチ５０，５５，６０が外部入出力端子ａと内部入出力端子ｂとの間を接続して閉路状態となり、開閉スイッチ５１，５６，６１が外部入出力端子ａと内部入出力端子ｂとの間をそれぞれ接続して閉路状態となる。これによって、信号遮断回路４５，４６，４７では、開閉スイッチ５０，５５，６０の外部入出力端子ａと開閉スイッチ５１，５６，６１の外部入出力端子ａとの間が、内部接続線２２ａ，２７ａ，３２ａによって接続されるので、導通状態になる。
【００６０】
また、信号遮断回路４５，４６，４７では、遮断指示を受けて、開閉スイッチ５０，５５，６０と、開閉スイッチ５１，５６，６１とが、前記した接続を解除して開路状態となる。これによって、開閉スイッチ５０，５５，６０の外部入出力端子ａと開閉スイッチ５１，５６，６１の外部入出力端子ａとの間の接続が絶たれて、遮断状態になる。
【００６１】
このとき、開閉スイッチ５１，５６，６１では内部入出力端子ｂが開放状態になるが、開閉スイッチ５０，５５，６０では内部入出力端子ｂと接地用端子ｃとの間を接続する動作が行われる。つまり、内部接続線２２ａ，２７ａ，３２ａの他端は開放状態になるが、内部接続線２２ａ，２７ａ，３２ａの一端は開放状態にならず、接地接続線５２，５７，６２によって接地電位に接続された状態になる。これによって、内部接続線２２ａ，２７ａ，３２ａと接地との間に電位差が発生するのが抑制されるので、高い遮断特性を有した遮断状態にすることができる。
【００６２】
次に、図示しない制御手段が行う切り替え動作について説明する。まず、（１）リピータ３を伝送路に接続する場合には、信号遮断回路４５には上記の遮断指示を発行して遮断状態になる動作を行わせ、信号遮断回路４６，４７には上記の導通指示を発行して導通状態になる動作を行わせる。これによって、リピータ３では、伝送路６側に隣接するリピータ２内の通信装置２ｂと自リピータ内の通信装置３ａとの間での通信と、伝送路７側に隣接するリピータ４内の通信装置４ａと自リピータ内の通信装置３ｂとの間での通信とが可能になる。
【００６３】
この場合、遮断状態になる信号遮断回路４５では、遮断状態になると同時に、内部接続線２２ａの一端が接地接続線５２によって接地電位に引き込まれるので、接地との間に電位差が発生するのが抑制され、遮断特性が確保できる。つまり、遮断状態になる信号遮断回路４５では、シングル伝送信号の通過を抑制することができる。
【００６４】
これによって、信号遮断回路４５を経由した通信装置２ｂと通信装置４ａとの間、通信装置２ｂと通信装置３ｂとの間、通信装置４ａと通信装置３ａとの間での遮断特性がそれぞれ確保され、信号漏れが少なくなる。したがって、通信装置２ｂと通信装置３ａとの間では、通信装置４ａまたは通信装置３ｂからの信号漏れが少ないので、安定した通信が可能となる。同様に、通信装置４ａと通信装置３ｂとの間では、通信装置２ｂまたは通信装置３ａからの信号漏れが少ないので、安定した通信が可能となる。
【００６５】
また、（２）リピータ３を伝送路から切り離してバイパスさせる場合は、信号遮断回路４５には上記の導通指示を発行して導通状態になる動作を行わせ、信号遮断回路４６，４７には上記の遮断指示を発行して遮断状態になる動作を行わせる。これによって、通信装置２ｂと通信装置４ａとの間でのリピータ３を経由しない直接通信が可能になる。
【００６６】
この場合、遮断状態になる信号遮断回路４６，４７では、遮断状態になると同時に、内部接続線２７ａ，３２ａの各一端が接地接続線５７，６２によって接地電位に引き込まれるので、接地との間に電位差が発生するのが抑制され、遮断特性が確保できる。つまり、遮断状態になる信号遮断回路１１では、シングル伝送信号の通過を抑制することができる。
【００６７】
これによって、信号遮断回路４６を経由した通信装置３ａと通信装置２ｂ，４ａとの間での遮断特性がそれぞれ確保され、信号漏れが少なくなる。また、信号遮断回路４７を経由した通信装置３ｂと通信装置２ｂ，４ａとの間での遮断特性がそれぞれ確保され、信号漏れが少なくなる。したがって、通信装置２ｂと通信装置４ａとの間では、通信装置３ａまたは通信装置３ｂからの信号漏れが少ないので、安定した通信が可能となる。
【００６８】
実施の形態６．
図６は、この発明の実施の形態６として、図１に示す信号切替回路の構成例（その５）を示す回路図である。なお、図６では、図５（実施の形態５）に示した構成要素と同一ないしは同等である構成要素には同一の符号が付されている。ここでは、この実施の形態６に関わる部分を中心に説明する。
【００６９】
図６に示すように、図１に示す信号切替回路の第５の構成例では、信号切替回路９は、図５（実施の形態５）に示した構成において、開閉スイッチ６３，６６と、抵抗器６４，６７と、接続線３７ａ，４０ａとが追加されている。なお、接続線３７ａと対をなす他方の接続線３７ｂと、接続線４０ａと対をなす他方の接続線４０ｂとは接地されている。
【００７０】
開閉スイッチ６３の外部入出力端子ａは接続線１６ａの一端に接続され、内部入出力端子ｂは接続線３７ａを介して通信装置３ａの通信ポートに接続され、短絡端子ｃは抵抗器６４を介して接地電位に接続されている。
【００７１】
開閉スイッチ３６の外部入出力端子ａは接続線１７ａの一端に接続され、内部入出力端子ｂは接続線３９ａを介して通信装置３ｂの通信ポートに接続され、短絡端子ｃは抵抗器６７を介して接地電位に接続されている。
【００７２】
開閉スイッチ６３，６６では、導通指示を受けて、外部入出力端子ａと内部入出力端子ｂとの間を接続して閉路状態となり、接続線１６ａと接続線３７ａとの間を接続して導通状態にする。
【００７３】
また、開閉スイッチ６３，６６では、遮断指示を受けて、前記した接続を解除して開路状態となる。これによって、接続線１６ａと接続線３７ａとの間は接続が絶たれて遮断状態になる。このとき、開閉スイッチ６３，６６では、内部入出力端子ｂと短絡用端子ｃとの間を接続する動作が行われる。つまり、接続線３７ａ，４０ａの内部入出力端子ｂとの接続端は、開放状態にならず、抵抗器６４，６７を介して接地電位に接続された状態になる。
【００７４】
追加した２つの開閉スイッチ６３，６６では、信号遮断回路４６，４７での開閉スイッチ（５５，５６）（６０，６１）と同じ内容の指令を受けて、同じように開路動作と閉路動作とが行われる。したがって、信号遮断回路４５が導通状態になり、信号遮断回路４６，４７が遮断状態となるバイパス時では、開閉スイッチ６５，６６も開路状態になり、接続線１６ａ，１７ａと接続線３７ａ，４０ａとの間が遮断されるが、接続線３７ａ，４０ａの遮断端は抵抗器６４，６７を介して接地電位に接続された状態になるので、通信装置３ａ，３ｂの出力信号は、抵抗器６４，６７によって終端され、抵抗器６４，６７にて消費されることになる。
【００７５】
つまり、上記の実施の形態５では、遮断状態となるバイパス時では、当該リピータ内の通信装置の通信ポートは開放状態になるので、不要な信号放出が起こるが、この実施の形態６によれば、その不要な信号放出を少なくすることができる。
【００７６】
実施の形態７．
図７は、この発明の実施の形態７として、図１に示す信号切替回路の構成例（その６）を示す回路図である。なお、図７では、図６（実施の形態６）に示した構成要素と同一ないしは同等である構成要素には同一の符号が付されている。ここでは、この実施の形態７に関わる部分を中心に説明する。
【００７７】
図７に示すように、図１に示す信号切替回路の第６の構成例では、信号切替回路９は、図６（実施の形態６）に示した構成において、開閉スイッチ５６と接続線１６ａの組を省いて、開閉スイッチ６３と接続線３７ａの組を取り込んで信号遮断回路７０とし、開閉スイッチ６１と接続線１７ａの組を省いて、開閉スイッチ６６と接続線４０ａの組を取り込んで信号遮断回路７１とした場合が示されている。
【００７８】
この構成によれば、信号遮断回路４５が導通状態になり、信号遮断回路７０，７１が遮断状態となるバイパス時では、開閉スイッチ５５，６０が開路状態となることによって内部接続線２７ａ，３２ａと接地電位との間に電位差が発生するのが抑制されて遮断性能が確保でき、また、開閉スイッチ６３，６６が開路状態となることによって不要な信号放出を少なくすることができる。加えて、実施の形態６よりも開閉スイッチの個数を２つ少なくすることができる。
【００７９】
以上のように、図１に示す信号切替回路は、優れた遮断特性を有する信号遮断回路を用いて構成されるが、信号遮断回路に優れた遮断特性を持たせる構成方法には、さらに幾つかの方法がある。以下、それらを実施の形態８〜１３として説明する。なお、実施の形態８〜１１は、２本の伝送路を用いるディファレンシャル伝送に適用する信号切替回路（実施の形態２〜４）で用いる信号遮断回路の他の構成例を示し、実施の形態１２〜１３は、２本伝送路のうち一方を接地し、他方を用いるシングル伝送に適用する信号切替回路（実施の形態５〜７）で用いる信号遮断回路の他の構成例を示している。
【００８０】
実施の形態８．
図８は、この発明の実施の形態８として、図１に示す信号切替回路を構成する信号遮断回路の他の構成例（その１）を示す回路図である。図８に示すように、信号遮断回路の他の構成例（その１）である信号遮断回路７３は、３つの対端子（ａ，ｂ）（ｃ，ｄ）（ｅ，ｆ）を有する開閉スイッチ７４，７５と、それらの間を接続する内部接続線７６ａ，７６ｂと、開閉スイッチ７４，７５に接続した短絡線７７，７８とを備えている。
【００８１】
この構成によれば、開閉スイッチ７４，７５は、遮断指示を受けて、端子ａと端子ｃとの間、及び、端子ｂと端子ｄとの間の接続を解除して開路状態となるとき、端子ｃと端子ｅとの間、及び、端子ｄと端子ｆとの間をそれぞれ接続する動作が行われるので、内部接続線７６ａ，７６ｂの両端は、開放状態にならず、短絡線７７，７８でショートされた状態になる。
【００８２】
これによって、内部接続線７６ａ，７６ｂ間に電位差が発生するのが効果的に抑制されるので、ディファレンシャルな遮断特性を確保することができ、信号遮断時にディファレンシャルモード信号の通過を抑制することができる。
【００８３】
加えて、この実施の形態８では、２つの開閉スイッチを同一の構成とし、２つの内部接続線に対して左右対称な回路構成としたので、一方の外部接続線から他方の外部接続線に向かう通信方向における伝送路特性と、他方の外部接続線から一方の外部接続線に向かう通信方向における伝送路特性とを同じにすることができる。
【００８４】
実施の形態９．
図９は、この発明の実施の形態９として、図１に示す信号切替回路を構成する信号遮断回路の他の構成例（その２）を示す回路図である。図９に示すように、信号遮断回路の他の構成例（その２）である信号遮断回路８２は、２つの対端子（ａ，ｂ）（ｃ，ｄ）を有する開閉スイッチ８３，８４と、それらの間を接続する伝送線路８５とで構成されている。
【００８５】
開閉スイッチ８３では、端子ａ，ｂは外部入出力端子として外部接続線７９ａ，７９ｂに接続され、端子ｃ，ｄは内部入出力端子として伝送線路８５の一端に接続されている。また、開閉スイッチ８４では、端子ａ，ｂは外部入出力端子として外部接続線８０ａ，８０ｂに接続され、端子ｃ，ｄは内部入出力端子として伝送線路８５の他端に接続されている。
【００８６】
伝送線路８５は、ほぼ並行して配線される２本の内部接続線８５ａ，８５ｂで構成される分布定数線路（線路長Ｌ、単位長さ当たりの伝送遅延τ、特性インピーダンスＺ０）である。図示例では、開閉スイッチ８３，８４の端子ｃ間が内部接続線８５ａで接続され、開閉スイッチ８３，８４の端子ｄ間が内部接続線８５ｂで接続されている。
【００８７】
この伝送線路８５は、開閉スイッチ８３の端子ｃ，ｄと、開閉スイッチ８４の端子ｃ，ｄとが共に開放状態になるとき、つまり当該信号遮断回路８２が信号遮断状態にあるときに、開閉スイッチ８３，８４から伝送線路８５を見たインピーダンスが、ショート状態または低インピーダンス状態となるように線路長Ｌを調整して設定されている。
【００８８】
次に、動作について説明する。外部接続線７９ａ，７９ｂと外部接続線８０ａ，８０ｂとを伝送線路８５を介して導通状態にする場合は、開閉スイッチ８３，８４は、それぞれ導通指示を受けて、端子ａと端子ｃとの間、及び、端子ｂと端子ｄとの間をそれぞれ接続して閉路状態となる。これによって、開閉スイッチ８３の端子ａ，ｂと開閉スイッチ８４の端子ａ，ｂとの間が内部接続線８５ａ，８５ｂによって接続されるので、外部接続線７９ａ，７９ｂと外部接続線８０ａ，８０ｂとの間が導通状態になる。
【００８９】
そして、外部接続線７９ａ，７９ｂと外部接続線８０ａ，８０ｂとの間を遮断状態にする場合は、開閉スイッチ８３，８４は、それぞれ遮断指示を受けて、前記した接続を解除して開路状態となる。これによって、開閉スイッチ８３の端子ａ，ｂと開閉スイッチ８４の端子ａ，ｂとの間の接続が絶たれるので、外部接続線７９ａ，７９ｂと外部接続線８０ａ，８０ｂとの間を遮断状態になる。
【００９０】
この遮断状態のときに、伝送線路８５は、ショート状態または低インピーダンス状態となるように設定してある。以下、設定方法について説明する。すなわち、開閉スイッチ８３から伝送線路８５を見たインピーダンスＺ８３は、伝送線路８５の単位長さ当たりの伝送遅延をτ、特性インピーダンスをＺ０、線路長をＬ、通信信号の周波数をｆ、波長をλとすれば、次の式（１）で与えられる。
Ｚ８３＝−ｊ＊Ｚ０＊ｃｏｔ（β＊Ｌ）  …（１）
ここで、β＝２π＊ｆ＊τであり、また、λ＝１／（ｆ＊τ）である。そして、線路長ＬとインピーダンスＺ８３との関係は、ｎを任意の整数とすれば、Ｌ＝（２ｎ＋１）＊λ／４のとき、｜Ｚ８３｜＝０となり、またＬ＝２＊λ／４のとき、｜Ｚ８３｜＝∞となる。
【００９１】
つまり、開閉スイッチ８３から伝送線路８５を見たインピーダンスＺ８３が低インピーダンスとなるように、通信信号の周波数を勘案して線路長Ｌを（２ｎ＋１）＊λ／４の値になるように選定する、または、それに近い値になるように選定するのである。
【００９２】
なお、通信信号の周波数が帯域幅をもつ場合には、帯域幅内が最も低インピーダンスとなるように、周波数ｆを定めて線路長Ｌを決定するとよい。また、物理的制約などの条件で線路長Ｌを（２ｎ＋１）＊λ／４の値に選定できない場合は、条件の許す限りこの値に近づけて低インピーダンス化を図るようにする。ここで、開閉スイッチ８４から伝送線路１４を見たインピーダンスＺ８４も同様に式（１）で表されるので、上記した方法で線路長Ｌを選定することでよい。
【００９３】
このように、実施の形態９によれば、２つの開閉スイッチ間を接続する手段を、２本の内部接続線を分布定数線路として扱える伝送線路で構成し、２つの開閉スイッチが同時に開路状態であるときに、ショート状態または低インピーダンス状態になるように、その伝送線路の線路長を調整してあるので、通信信号を遮断させる場合に、伝送線路を構成する２本の接続線間に電位差が発生し難くなる。したがって、実施の形態８と同様に、ディファレンシャルな遮断特性を確保することができ、信号遮断時にディファレンシャルモード信号の通過を抑制することができる。
【００９４】
実施の形態１０．
図１０は、この発明の実施の形態１０として、図１に示す信号切替回路を構成する信号遮断回路の他の構成例（その３）を示す回路図である。なお、図１０では、図８（実施の形態８）と図９（実施の形態９）に示した構成要素と同一ないしは同等である構成要素には同一の符号が付されている。ここでは、この実施の形態１０に関わる部分を中心に説明する。
【００９５】
図１０に示すように、信号遮断回路の他の構成例（その３）である信号遮断回路８７は、図８（実施の形態８）にて示した３つの対端子を有する開閉スイッチ７４と、図９（実施の形態９）にて示した２つの対端子を有する開閉スイッチ８４と、それらの間を接続する内部接続線７６ａ，７６ｂと、開閉スイッチ７４に接続した短絡線７７と、短絡線７７を接地電位に接続する接地接続線８８とを備えている。
【００９６】
この構成によれば、開閉スイッチ７４が開路状態になり、内部接続線７６ａ，７６ｂの一端が短絡線７７によってショート状態になると同時に、短絡線７７が接地電位に引き込まれる。
【００９７】
したがって、この実施の形態１０では、ディファレンシャルな遮断特性の確保に加えてコモンモードの遮断特性が確保できるので、信号遮断時にディファレンシャルモード信号とコモンモードによる信号との双方の通過を抑制することができる。
【００９８】
実施の形態１１．
図１１は、この発明の実施の形態１１として、図１に示す信号切替回路を構成する信号遮断回路の他の構成例（その４）を示す回路図である。なお、図１１では、図８（実施の形態８）と図１０（実施の形態１０）に示した構成要素と同一ないしは同等である構成要素には同一の符号が付されている。ここでは、この実施の形態１１に関わる部分を中心に説明する。
【００９９】
図１１に示すように、信号遮断回路の他の構成例（その４）である信号遮断回路９０は、図８（実施の形態８）にて示した３つの対端子を有する開閉スイッチ７４，７５と、それらの間を接続する内部接続線７６ａ，７６ｂと、開閉スイッチ７４，７５に接続した短絡線７７，７８と、短絡線７７，７８を接地電位に接続する接地接続線８８，９１とを備えている。
【０１００】
この構成によれば、開閉スイッチ７４が開路状態になり、内部接続線７６ａ，７７ｂの一端が短絡線７７によってショート状態になると同時に、短絡線７７が接地電位に引き込まれる。また開閉スイッチ７５が開路状態になり、内部接続線７６ａ，７６ｂの他端が短絡線７８によってショート状態になると同時に、短絡線７８が接地電位に引き込まれる。
【０１０１】
このように、この実施の形態１１では、遮断状態のときに、２つの開閉スイッチ間を接続する２本の内部接続線の両端において、２線間の電位を接地電位に引き込むので、実施の形態１０よりも効果的に、ディファレンシャルな遮断特性とコモンモードの遮断特性とを確保することができ、信号遮断時にディファレンシャルモード信号とコモンモードによる信号との双方の通過を一層効果的に抑制することができる。
【０１０２】
実施の形態１２．
図１２は、この発明の実施の形態１２として、図１に示す信号切替回路を構成する信号遮断回路の他の構成例（その５）を示す回路図である。図１２に示すように、信号遮断回路の他の構成例（その５）である信号遮断回路９３は、３つの端子ａ，ｂ，ｃを有する開閉スイッチ９４，９５と、それらの間を接続する１本の内部接続線７６ａと、接地接続線９６，９７とを備えている。
【０１０３】
開閉スイッチ９４では、端子ａは外部入出力端子として外部接続線７９ａに接続され、端子ｂは内部入出力端子として内部接続線７ａの一端に接続され、端子ｃは接地用端子として接地接続線９６を介して接地電位に接続されている。
【０１０４】
開閉スイッチ９５では、端子ａは外部入出力端子として外部接続線８０ａに接続され、端子ｂは内部入出力端子として内部接続線７６ａの他端に接続され、端子ｃは接地用端子として接地接続線９６を介して接地電位に接続されている。
【０１０５】
この構成によれば、開閉スイッチ９５，９６は、遮断指示を受けて、端子ａと端子ｂととの間の接続をそれぞれ解除して開路状態となるとき、端子ｂと端子ｃとの間をそれぞれ接続する動作が行われるので、内部接続線７６ａの両端は、開放状態にならず、接地線９６，９７によってそれぞれ接地電位に接続された状態になる。
【０１０６】
したがって、この実施の形態１２によれば、１本の内部接続線７６ａは、接地を経由する閉回路を構成するので、効果的に遮断特性を確保することができ、信号遮断時にシングル伝送信号の通過を抑制することができる。
【０１０７】
加えて、２つの開閉スイッチを同一構成とし、１本の内部接続線に対して左右対称の回路構成にしたので、一方から他方に向かう通信方向での伝送特性と、他方から一方に向かう通信方向での伝送特性とを同じにすることができる。
【０１０８】
実施の形態１３．
図１３は、この発明の実施の形態１３として、図１に示す信号切替回路を構成する信号遮断回路の他の構成例（その６）を示す回路図である。図１３に示すように、信号遮断回路の他の構成例（その６）である信号遮断回路１００は、２つの端子ａ，ｂを有する開閉スイッチ１０１，１０２と、それらの間を接続する伝送線路１０３とを備えている。
【０１０９】
開閉スイッチ１０１では、端子ａは、外部入出力端子として外部接続線７９ａに接続され、端子ｂは、内部入出力端子として伝送線路１０３の一端に接続されている。また、開閉スイッチ１０２では、端子ａは、外部入出力端子として外部接続線８０ａに接続され、端子ｂは、内部入出力端子として伝送線路１０３の他端に接続されている。
【０１１０】
伝送線路１０３は、ほぼ並行して配線される１本の内部接続線１０３ａと接地線１０３ｂとで構成され、線路長がＬ、単位長さ当たりの伝送遅延がτ、特性インピーダンスがＺ０の分布定数線路である。内部接続線１０３ａが、開閉スイッチ１０１，１０２の端子ｂ間を接続している。
【０１１１】
この伝送線路１０３は、開閉スイッチ１０１，１０２の端子ｂとが共に開放状態になるとき、つまり当該信号遮断回路１００が信号遮断状態にあるとき、開閉スイッチ１０１，１０２から伝送線路１０３を見たインピーダンスが、ショート状態または低インピーダンス状態となるように線路長Ｌを調整して設定されている。
【０１１２】
次に、動作について説明する。外部接続線７９ａと外部接続線８０ａとを伝送線路１０３を介して導通状態にする場合は、開閉スイッチ１０１，１０２は、それぞれ導通指示を受けて、端子ａと端子ｂの間をそれぞれ接続して閉路状態となる。これによって、開閉スイッチ１０１の端子ａと開閉スイッチ１０２の端子ａとの間が内部接続線１０３ａによって接続されるので、外部接続線７９ａと外部接続線８０ａとの間が導通状態になる。
【０１１３】
そして、外部接続線７９ａと外部接続線８０ａｂとの間を遮断状態にする場合は、開閉スイッチ１０１，１０２は、それぞれ遮断指示を受けて、前記した接続を解除して開路状態となる。これによって、開閉スイッチ１０１の端子ａと開閉スイッチ１０２の端子ａとの間の接続が絶たれるので、外部接続線７９ａと外部接続線８０ａとの間を遮断状態になる。
【０１１４】
この遮断状態のときに、伝送線路１０３は、ショート状態または低インピーダンス状態となるように設定してある。以下、設定方法について説明する。すなわち、開閉スイッチ１０１から伝送線路１０３を見たインピーダンスＺ１０１は、伝送線路１０３の単位長さ当たりの伝送遅延をτ、特性インピーダンスをＺ０、線路長をＬ、通信信号の周波数をｆ、波長をλとすれば、式（１）と同様の次の式（２）で与えられる。
Ｚ１０１＝−ｊ＊Ｚ０＊ｃｏｔ（β＊Ｌ）  …（２）
ここで、β＝２π＊ｆ＊τであり、また、λ＝１／（ｆ＊τ）である。そして、線路長ＬとインピーダンスＺ１０１との関係は、ｎを任意の整数とすれば、Ｌ＝（２ｎ＋１）＊λ／４のとき、｜Ｚ１０１｜＝０となり、またＬ＝２＊λ／４のとき、｜Ｚ１０１｜＝∞となる。
【０１１５】
つまり、開閉スイッチ１０１から伝送線路１０３を見たインピーダンスＺ１０１が低インピーダンスとなるように、通信信号の周波数を勘案して線路長Ｌを（２ｎ＋１）＊λ／４の値になるように選定する、または、それに近い値になるように選定するのである。
【０１１６】
なお、通信信号の周波数が帯域幅をもつ場合には、帯域幅内が最も低インピーダンスとなるように、周波数ｆを定めて線路長Ｌを決定するとよい。また、物理的制約などの条件で線路長Ｌを（２ｎ＋１）＊λ／４の値に選定できない場合は、条件の許す限りこの値に近づけて低インピーダンス化を図るようにする。ここで、開閉スイッチ１０２から伝送線路２９を見たインピーダンスＺ１０２も同様に式（２）で表されるので、上記した方法で線路長Ｌを選定することでよい。
【０１１７】
このように、実施の形態１３によれば、シングル伝送の場合に、２つの開閉スイッチ間を接続する手段を、１本の内部接続線に接地線を並置して分布定数線路として扱える伝送線路で構成し、実施の形態９と同様に、２つの開閉スイッチが同時に開路状態であるときに、ショート状態または低インピーダンス状態になるように、その伝送線路の線路長を調整してあるので、通信信号を遮断させる場合に、伝送線路を構成する１本の接続線と接地線との間に電位差が発生し難くなる。したがって、実施の形態９と同様に、遮断特性を確保することができ、信号遮断時にシングル伝送信号の通過を抑制することができる。
【０１１８】
なお、以上説明した実施の形態２〜１３にて示した「開閉スイッチ」は、リレー、トランジスタスイッチ、ダイオードスイッチ、さらには、トグルスイッチなどを用いて構成することができる。
【産業上の利用可能性】
【０１１９】
以上のように、この発明にかかるリピータが介在する通信システムにおける信号切替方式は、リピータと両方の伝送路との間での各データ伝送と、バイパスする必要のあるリピータを伝送路から切り離してのデータ伝送とを安定的に行うのに有用である。
【０１２０】
また、この発明にかかる信号切替回路は、リピータが介在する通信システムにおいて、複数の通信装置の双方向通信の相手を切り替える際に、通信しない伝送路では高周波信号の高い遮断特性を実現するのに有用である。
【図面の簡単な説明】
【０１２１】
【図１】この発明の実施の形態１による信号切替回路を備えたバケツリレーシステムの構成を示す回路図である。
【図２】この発明の実施の形態２として、図１に示す信号切替回路の構成例（その１）を示す回路図である。
【図３】この発明の実施の形態３として、図１に示す信号切替回路の構成例（その２）を示す回路図である。
【図４】この発明の実施の形態４として、図１に示す信号切替回路の構成例（その３）を示す回路図である。
【図５】この発明の実施の形態５として、図１に示す信号切替回路の構成例（その４）を示す回路図である。
【図６】この発明の実施の形態６として、図１に示す信号切替回路の構成例（その５）を示す回路図である。
【図７】この発明の実施の形態７として、図１に示す信号切替回路の構成例（その６）を示す回路図である。
【図８】この発明の実施の形態８として、図１に示す信号切替回路を構成する信号遮断回路の他の構成例（その１）を示す回路図である。
【図９】この発明の実施の形態９として、図１に示す信号切替回路を構成する信号遮断回路の他の構成例（その２）を示す回路図である。
【図１０】この発明の実施の形態１０として、図１に示す信号切替回路を構成する信号遮断回路の他の構成例（その３）を示す回路図である。
【図１１】この発明の実施の形態１１として、図１に示す信号切替回路を構成する信号遮断回路の他の構成例（その４）を示す回路図である。
【図１２】この発明の実施の形態１２として、図１に示す信号切替回路を構成する信号遮断回路の他の構成例（その５）を示す回路図である。
【図１３】この発明の実施の形態１３として、図１に示す信号切替回路を構成する信号遮断回路の他の構成例（その６）を示す回路図である。
【符号の説明】
【０１２２】
１，２ａ，２ｂ，３ａ，３ｂ，４ａ，４ｂ  通信装置
２，３，４  リピータ
２ｃ，３ｃ，４ｃ  内部リンク
５，６，７  伝送路（一方または他方の伝送路）
８，９，１０  信号切替回路
ＳＷ８ａ，ＳＷ９ａ，ＳＷ１０ａ  切替手段（第３の切替手段）
ＳＷ８ｂ，ＳＷ９ｂ，ＳＷ１０ｂ  切替手段（第１または第２の切替手段）
ＳＷ８ｃ，ＳＷ９ｃ，ＳＷ１０ｃ  切替手段（第２または第１の切替手段）
１１，１２，１３，４２，４３，４５，４６，４７，７０，７１，７３，８２，８７，９０，９３，１００  信号遮断回路
２０，２１，２５，２６，３０，３１，３５，３８，５０，５１，５５，５６，６０，６１，６３，６６，７４，７５，８３，８４，９４，９５，１０１，１０２  開閉スイッチ
２２ａ，２２ｂ，２７ａ，２７ｂ，３２ａ，３２ｂ  内部接続線
２３，２８，３３，７７，７８，  短絡線
３６，３９，６４，６７  抵抗器
５２，５７，６２，８８，９１，９６，９７  接地接続線
８５，１０３  伝送線路
８５ａ，８５ｂ，１０３ａ  内部接続線
１０３ｂ  接地線
【図１】
0004708212.tif 000002
【図２】
0004708212.tif 000003
【図３】
0004708212.tif 000004
【図４】
0004708212.tif 000005
【図５】
0004708212.tif 000006
【図６】
0004708212.tif 000007
【図７】
0004708212.tif 000008
【図８】
0004708212.tif 000009
【図９】
0004708212.tif 000010
【図１０】
0004708212.tif 000011
【図１１】
0004708212.tif 000012
【図１２】
0004708212.tif 000013
【図１３】
0004708212.tif 000014